(57)【要約】【課題】通信端末からの出力制限がある著作権保護コンテンツにおいてもバックアップサーバへのバックアップを可能とする技術を提供すること。【解決手段】コンテンツを配信するコンテンツサーバ（１０）、配信されたコンテンツをバックアップするバックアップサーバ（２０）、および前記コンテンツの配信を受けるとともに、バックアップサーバからコンテンツをリストアする通信端末（３０）を含むシステムにおけるバックアップサーバにおいて、前記配信されたコンテンツと、配信先の通信端末の識別情報とを記憶する記憶手段（２５）と、通信端末からリストア要求を受信すると、リストア要求に含まれる前記識別情報が前記記憶手段に登録されているか比較する比較手段（２１）と、前記比較の結果、同一識別情報が記憶手段に登録されている場合は、この識別情報に関連して登録されているコンテンツを前記通信端末に送信する送信手段（２４）と、を備えた。【選択図】      図１
2007219648.tif 000002
【特許請求の範囲】
【請求項１】
ダウンロード要求に応じてコンテンツを配信するコンテンツサーバ、このコンテンツサーバが配信するコンテンツをバックアップするバックアップサーバ、および前記コンテンツサーバからコンテンツの配信を受けるとともに、前記バックアップサーバからコンテンツをリストアする通信端末を含むシステムにおける前記バックアップサーバにおいて、
前記コンテンツサーバが配信したコンテンツと、該コンテンツの配信先の通信端末の識別情報とを記憶する記憶手段と、
通信端末からこの通信端末の識別情報を含むコンテンツのリストア要求を受信すると、このリストア要求に含まれる前記識別情報が前記記憶手段に登録されているか比較する比較手段と、
前記比較手段による比較の結果、同一識別情報が記憶手段に登録されている場合は、この識別情報に関連して登録されているコンテンツを前記リストア要求を出した通信端末に送信する送信手段と
を具備することを特徴とするバックアップサーバ。
【請求項２】
前記比較手段による比較の結果、同一識別情報が記憶手段に登録され、かつこの識別情報に関連して登録されているコンテンツが複数ある場合、前記送信手段は該複数のコンテンツを示すリストを前記リストア要求を出した通信端末に送信することを特徴とする請求項１記載のバックアップサーバ。
【請求項３】
ダウンロード要求に応じてコンテンツを配信するコンテンツサーバ、このコンテンツサーバが配信するコンテンツをバックアップするバックアップサーバ、および前記コンテンツサーバからコンテンツの配信を受けるとともに、前記バックアップサーバからコンテンツをリストアする通信端末を含むシステムにおける前記バックアップサーバにおいて、
前記コンテンツサーバが配信したコンテンツを示すコンテンツ識別子と、該コンテンツの配信先の通信端末の識別情報とを記憶する記憶手段と、
通信端末からこの通信端末の識別情報を含むコンテンツのバックアップ要求を受信すると、このバックアップ要求に含まれる前記識別情報が前記記憶手段に登録されているか比較する比較手段と、
前記比較手段による比較の結果、同一識別情報が記憶手段に登録されている場合は、この識別情報に関連して登録されているコンテンツ識別子に基づいて前記コンテンツサーバから該コンテンツ識別子に対応するコンテンツの送信を要求する要求手段と、
該要求手段のコンテンツの送信要求に応じて前記コンテンツサーバから送信されたコンテンツを前記バックアップ要求に含まれている識別情報と対応付けて前記記憶手段に記憶する記憶制御手段と
を具備することを特徴とするバックアップサーバ。
【発明の詳細な説明】
【技術分野】
【０００１】
本発明は、コンテンツサーバが配信したコンテンツをバックアップするバックアップサーバに関する。
【背景技術】
【０００２】
移動通信網を介してデータ通信可能な通信端末において利用可能な各種のコンテンツが流通している。これらのコンテンツとして、待機状態の通信端末に表示される画像データ（いわゆる、待ち受け画面）、通信端末の着呼時に再生される楽音データ（いわゆる、着信メロディ）および通信端末で実行可能なゲームプログラム等があり、また、この種のコンテンツは商品価値を備えているものも多く、有償で提供されるものの他、著作権等で法的に保護されているものもある。
【０００３】
一方、デジタルデータはその性質として際限のない複製が可能であるため、不正な複製に対する対策が講じられている。その１つとして、通信端末外にディジタルデータを出力しない、全ての複製を禁止する、１回のコピーのみ許可する、暗号化して外部メモリに移動するといったことが知られている。  
例えば、コンテンツの複製を禁じた場合、利用者が通信端末を買い換えてデータの移行を行わなければならない時に、複製が禁じられたコンテンツは移行することができなくなり、また、不慮の事故等によるデータ消失等に備えたバックアップをとることもできなくなる。  
そこで、コンテンツの不正な複製を防止するとともに、正当な利用者が可能な範囲内でコンテンツを複製することを可能とする技術が提案されている（特許文献１参照）。
【０００４】
この技術では、以下のように保護されたコンテンツをバックアップして、リストアするようにしている。  
通信端末からの配信要求があると、コンテンツサーバは要求されたコンテンツとともにバックアップサーバを指定する指定情報をテンツを通信端末に配信する。通信端末は配信された指定情報とコンテンツを記憶し、必要に応じて配信されたコンテンツをバックアップするが、通信端末が指定されたバックアップサーバにコンテンツをバックアップする場合、上記指定情報によって特定されたバックアップサーバに対して電話番号情報とコンテンツのバックアップを要求する。そして、バックアップサーバは、電話番号情報とコンテンツを関連付けて保存する。これにより、コンテンツをバックアップすることができる。
【０００５】
一方、通信端末がバックアップサーバに保存（バックアップ）されたコンテンツのリストアを行う場合、リストアするコンテンツと電話番号情報をバックアップサーバに送信する。そして、このリストアの要求に基づいて、バックアップサーバがコンテンツを送信することで、通信端末はコンテンツをリストアすることができる。
【０００６】
なお、通信端末とバックアップサーバ間に管理サーバを配置する構成や、コンテンツサーバに対して、コンテンツ識別情報と通信端末情報を送付し保存することでバックアップの代わりにする構成も開示されている。
【０００７】
ここで、著作権保護されたコンテンツでは、通信端末に対して「デジタル形式での出力は不可」、「アナログ形式でのみ出力して良い」とか「コンテンツの一部のみ出力してよい」等のポリシーをもって出力が決められている。ところが、バックアップの場合は、配信されてきたコンテンツをそのままバックアップサーバへバックアップすることになる。そのため、通信端末からコンテンツ全体をデジタル出力することになるので、上記ポリシーに反することになる。
【０００８】
また、通信端末からバックアップサーバにバックアップする際には、バックアップ対象となるコンテンツを通信端末からバックアップサーバに送信する必要があり、バックアップのために有限資源である無線帯域を使うことは効率的とはいえない。
【０００９】
更に、バックアップされたコンテンツのリストアは、ユーザの意図しない場合（例えば、通信端末の故障時など）に必要とされるケースが多く、バックアップはユーザが意識しないバックグランドで行われることが望ましい。
【特許文献１】特開２００４−４８１８０号公報
【発明の開示】
【発明が解決しようとする課題】
【００１０】
本発明は、通信端末からの出力制限がある著作権保護コンテンツにおいてもバックアップサーバへのバックアップを可能とする技術を提供することを目的とする。
【課題を解決するための手段】
【００１１】
コンテンツのダウンロード時に、コンテンツサーバからバックアップサーバに通信端末を介さずにコンテンツを直接バックアップするようにしている。また、コンテンツ使用の状態管理が必要なＳｔａｔｅｆｕｌ（ステイトフル）権利つきのコンテンツについては、通信端末側でコンテンツを利用（再生やコピーなど）するたびに、バックアップサーバに状態情報を転送する。具体的には、
本発明の局面に係る発明は、ダウンロード要求に応じてコンテンツを配信するコンテンツサーバ、このコンテンツサーバが配信するコンテンツをバックアップするバックアップサーバ、および前記コンテンツサーバからコンテンツの配信を受けるとともに、前記バックアップサーバからコンテンツをリストアする通信端末を含むシステムにおける前記バックアップサーバにおいて、前記コンテンツサーバが配信したコンテンツと、該コンテンツの配信先の通信端末の識別情報とを記憶する記憶手段と、通信端末からこの通信端末の識別情報を含むコンテンツのリストア要求を受信すると、このリストア要求に含まれる前記識別情報が前記記憶手段に登録されているか比較する比較手段と、前記比較手段による比較の結果、同一識別情報が記憶手段に登録されている場合は、この識別情報に関連して登録されているコンテンツを前記リストア要求を出した通信端末に送信する送信手段とを具備することを特徴とする。
【発明の効果】
【００１２】
本発明によれば、サーバ間でコンテンツが直接バックアップを行うようにしたので、公衆無線網におけるトラフィックの増加を回避できる。また、コンテンツの状態情報をバックアップするようにしたので、通信端末からの出力制限がある著作権保護コンテンツにおいてもバックアップサーバへのバックアップが可能となる。
【発明を実施するための最良の形態】
【００１３】
図面を参照して本発明の実施の形態を説明する。  
図１は、本発明の第１の実施形態に係るコンテンツ管理システムの概略構成を示すブロック図である。図１に示すように、第１の実施形態に係るコンテンツ管理システムは、コンテンツサーバ１０と、バックアップサーバ２０と、通信端末３０とを備えている。ここで、コンテンツサーバ１０とバックアップサーバ２０は、大容量かつ高速なデータ伝送が可能なバックボーンネットワーク４０を介して通信可能に接続されている。通信端末３０は、コンテンツサーバ１０及びバックアップサーバ２０とバックボーンネットワーク４０及び図示しない他の通信端末が通信可能に接続された公衆無線網５０を介して接続されている。
【００１４】
上記の構成において、コンテンツサーバ１０は、各種のコンテンツを備えたサーバであって、通信端末３０から要求されたコンテンツをバックボーンネットワーク４０及び公衆無線網５０を介して配信する。バックアップサーバ２０は、コンテンツサーバ１０から通信端末３０に配信されたコンテンツをバックアップする。通信端末３０は、例えば、携帯電話、ＰＤＡなどの携帯型の通信端末であって、コンテンツサーバ１０からコンテンツをダウンロードして、該コンテンツを視聴する機能を有するものである。
【００１５】
コンテンツサーバ１０は、ＣＰＵ１１と、ＲＯＭ１２と、ＲＡＭ１３と、通信インターフェイス（以下、Ｉ／Ｆと略記する）１４と、ハードディスク１５と、システムバス１６と、を備えている。  
ＣＰＵ１１は、コンテンツサーバ１０が備える各部を制御する。ＲＯＭ１２は、ＣＰＵ１１の動作手順を記述した各種制御用プログラムを格納している。ＲＡＭ１３は、ＣＰＵ１１の一時的な作業領域として用いられる。通信Ｉ／Ｆ１４は、無線通信ネットワークを介したデータ通信の際に用いられるポートである。システムバス１６は、コンテンツサーバ１０に備わる各部間でデータを伝送する際に用いられる。  
ハードディスク１５は、通信端末３０に配信すべき複数のコンテンツと、コンテンツ配信の際に必要とされる各種データとを記憶している。
【００１６】
バックアップサーバ２０は、ＣＰＵ２１と、ＲＯＭ２２と、ＲＡＭ２３と、通信Ｉ／Ｆ２４と、ハードディスク２５と、システムバス２６とを備えている。
【００１７】
ＣＰＵ２１は、バックアップサーバ２０が備える各部を制御する。ＲＯＭ２２は、ＣＰＵ２１の動作手順を記述した各種制御用プログラムを格納している。ＲＡＭ２３は、ＣＰＵ２１の一時的な作業領域として用いられる。通信Ｉ／Ｆ２４は、無線通信ネットワークを介したデータ通信の際に用いられるポートである。システムバス２６は、バックアップサーバ２０に備わる各部間でデータを伝送する際に用いられる。  
ハードディスク２５は、コンテンツに係る複数のバックアップファイルと、バックアップ処理の手順を記述したバックアップ管理プログラムと、バックアップ管理プログラムが参照するデータであるファイル管理テーブルとが記憶されている。
【００１８】
通信端末３０は、アンテナ３１と、無線部３２と、ベースバンド処理部３３と、制御部３５と、表示部３６と、操作部３７と、記憶部３８とを備えている。  
アンテナ３１は、送受信用のアンテナである。無線部３２は、図示しない受信部、送信部および周波数シンセサイザ等を備えており、アンテナ３１を介して、図示しない基地局との間で無線通信を行う。無線部３２は、ベースバンド処理部３３と接続されている。ベースバンド処理部３３は、図示しないマルチメディアインターフェイス、音声コーデックおよび画像コーデック等を備えており、各種のデータ処理を行う。
【００１９】
音声入出力部３４は、図示しないマイクロホンおよびスピーカを備えている。音声入出力部３４は、マイクロホンが集音した音声信号をベースバンド処理部３３に供給する。また、音声入出力部３４は、ベースバンド処理部３３から音声信号を供給されると、この音声信号を変換し、スピーカから出力する。
【００２０】
表示部３６は、液晶パネルおよびパネル駆動回路を有しており、制御部３５による制御の下で、各種情報を表示する。操作部３７は、テンキーおよび各種制御キーからなるキーパッドやキー検出回路を有しており、利用者のキー操作に対応する制御信号を制御部３５に出力する。記憶部３８は、通信端末３０が動作するのに必要なプログラムやデータ、コンテンツ及びユーザの個人データなどを記憶する。
【００２１】
制御部３５は、通信端末３０が備える各部の動作を制御する。制御部３５は、図示しないＣＰＵと、ＲＡＭと、ＲＯＭと、不揮発性メモリとを備え、各装置がバスによって接続されている。ＣＰＵは、ＲＡＭを一時的な作業領域とし、ＲＯＭおよび不揮発性メモリに記憶される各種プログラムを実行する。制御部３５は、コンテンツサーバ１０にコンテンツの配信を要求する配信要求機能と、バックアップサーバ２０にコンテンツのバックアップを要求するバックアップ要求機能と、バックアップサーバ２０にコンテンツのリストアを要求するリストア要求機能とを備えており、ＣＰＵがこれらの機能を実行する。ＲＯＭは、通信端末３０の電話番号や、例えば、コンテンツのダウンロード時およびバックアップ時に必要となるコンテンツ管理プログラムを記憶する。また、ブラウザプログラムも、コンテンツのダウンロード時及びバックアップ時のユーザインターフェイスとして用いられるため、ＲＯＭに記憶されている。また、不揮発性メモリは、コンテンツサーバ１０から受信したコンテンツと、受信したコンテンツのバックアップ先アドレスを管理するためのバックアップ先管理テーブルとを記憶する。
【００２２】
図２は、本発明の第１の実施形態に係る保護されたコンテンツのバックアップの処理を示す図である。
【００２３】
まず、通信端末３０から図示しないコンテンツのダウンロードの要求があると、コンテンツサーバ１０からコンテンツのダウンロードが行われる（ステップ６１）。このとき、コンテンツと共に、ＢＵサーバアドレスも併せてコンテンツサーバ１０から、バックボーンネットワーク４０及び公衆無線網５０を介して送信される。  
コンテンツサーバ１０は、通信端末３０へのコンテンツの送信（ダウンロード）に加えて、バックアップサーバ２０に、コンテンツと該コンテンツを送信した通信端末３０の端末識別子を、バックボーンネットワーク４０を介して直接バックアップサーバ２０に送信（バックアップ）する。バックアップサーバ２０は、送信されたコンテンツと端末識別子とを関連付けて記憶する。
【００２４】
バックアップされたコンテンツをリストアする際には、通信端末３０からリストア要求が出される（ステップ６３）。このとき、通信端末３０は、バックアップサーバ２０に端末識別子を送信する。そこで、バックアップサーバ２０は、通信端末３０から送信された端末識別子を参照して、通信端末３０から要求されたコンテンツとＢＵアドレスをバックボーンネットワーク４０及び公衆無線網５０を介して、通信端末３０に送信する（ステップ６４）。これにより、リストアが終了する。なお、図示していないが、ステップ６４を実行する前に、バックアップサーバ２０は通信端末３０から送信された端末識別子を参照して、バックアップサーバ２０に格納されている通信端末３０の端末識別子に対応したコンテンツのリスト（以下、コンテンツリストと称する）を送付する。通信端末３０はバックアップサーバ２０から受信したコンテンツリストの中からリストアするコンテンツを選択してもよい。
【００２５】
第１の実施形態によれば、コンテンツのバックアップを、通信端末３０を介して行うことなく、直接サーバ間で行っているので、公衆無線網５０の負荷を増加させることがないので、トラフィックの無用な増加を防ぐことができる。また、バックアップを直接サーバ間で行うことにより、コンテンツのバックアップに係る通信端末３０の通信料の増加を防ぐことができる。
【００２６】
図３を参照して、本発明の第２の実施形態に係るコンテンツのバックアップ方式を説明する。図３は、本発明の第２の実施形態に係る保護されたコンテンツのバックアップ方式を示す図である。第１の実施形態では、コンテンツを通信端末３０がダウンロードしたときに、併せて、コンテンツのバックアップを行うようにしたが、第２の実施形態では、通信端末３０からバックアップ要求があった後に、コンテンツのバックアップを行うようにした実施形態である。
【００２７】
図２に示す第１の実施形態と同様に、通信端末３０から図示しないコンテンツのダウンロードの要求があった場合に、コンテンツサーバ１０からコンテンツのダウンロードが行われる（ステップ７１）。ここで、コンテンツと共に、ＢＵサーバアドレスとコンテンツを識別するための識別子（以下、「コンテンツ識別子」と称する）も併せてコンテンツサーバ１０から、バックボーンネットワーク４０及び公衆無線網５０を介して送信される。このとき、コンテンツサーバ１０は、コンテンツがダウンロードされたことを、バックアップサーバ２０に通知するために、コンテンツ識別子と端末識別子とを送信する（ステップ７２）。バックアップサーバ２０は、送信されたコンテンツ識別子と端末識別子とを関連付けて記憶する。  
例えば、ユーザがダウンローしたコンテンツのバックアップが必要であると認識したのであれば、通信端末３０からコンテンツのバックアップ要求が、バックボーンネットワーク４０及び公衆無線網５０を介して、バックアップサーバ２０に送信される（ステップ７３）。このとき、コンテンツ識別子と端末識別子が通信端末３０からバックアップサーバ２０に送信される。なお、図示をしていないが、ステップ７３を実行する前に、バックアップサーバ２０は通信端末３０から送信された端末識別子を参照して、バックアップサーバ２０に格納されている通信端末３０の端末識別子に対応したコンテンツのリスト（以下、コンテンツリストと称する）を送付する。通信端末３０はバックアップサーバ２０から受信したコンテンツリストの中からバックアップするコンテンツを選択してもよい。
【００２８】
バックアップサーバ２０は、通信端末３０から受信したコンテンツ識別子と端末識別子が、コンテンツサーバ１０から送信されたものと同一であれば、コンテンツサーバ１０にコンテンツ識別子と共に、バックアップ要求を送信し（ステップ７４）、コンテンツサーバ１０は、バックアップサーバ２０から送信されたコンテンツ識別子に相当するコンテンツを、バックボーンネットワーク４０を介してバックアップサーバ２０に送信（バックアップ）する（ステップ７５）。ここで、バックアップサーバ２０は、送信されたコンテンツと端末識別子とを関連付けて記憶する。
【００２９】
バックアップされたコンテンツをリストアする際には、図２に示す第１の実施形態と同様に、通信端末３０からリストア要求が出される（ステップ７６）。このとき、通信端末３０は、バックアップサーバ２０に端末識別子を送信する。そこで、バックアップサーバ２０は、通信端末３０から送信された端末識別子を参照して、通信端末３０から要求されたコンテンツとコンテンツ識別子とＢＵアドレスをバックボーンネットワーク４０及び公衆無線網５０を介して、通信端末３０に送信する（ステップ６４）。これにより、リストアが終了する。  
第２の実施形態によれば、コンテンツのバックアップを、通信端末３０を介して行うことなく、直接サーバ間で行っているので、第１の実施形態と同様の効果が得られる。更に、第２の実施形態では、通信端末３０からのバックアップ要求があってからバックアップを実行するようにしているので、ユーザが不要と判断したコンテンツをバックアップする必要がなくなるので、バックアップサーバ２０の記憶容量の低減と、バックボーンネットワーク４０のトラフィックの低減を図ることができる。
【００３０】
図４を参照して、本発明の第３の実施形態に係るコンテンツのバックアップ方式を説明する。図４は、本発明の第３の実施形態に係る保護されたコンテンツのバックアップ方式を示す図である。コンテンツには、例えば、再生回数が制限されているものがある。これをStateful権利付きコンテンツと称する。たとえば、再生制限情報として「最大再生回数３回」を指定された場合、これは当該デバイス機器にてその再生した回数（もしくは残りの再生可能回数）を保持して管理しておかねばならないので、これはStateful権利となる。一方、たとえば、再生制限情報を特に設定をしない場合は、無限に再生が可能なことから、これはStateless権利となる。Stateful権利の場合、例えば、当初は、再生回数が０回としてバックアップサーバ２０にバックアップされている。このため、バックアップサーバ２０から通信端末３０へ無限にリストア処理を行うにより、規定の回数以上コンテンツの再生が可能になってしまうことになる。第３の実施形態では、このように再生回数などが制限されているStateful権利を保持するコンテンツの場合におけるバックアップ方式を示す図である。
【００３１】
図２に示す第１の実施形態と同様に、通信端末３０から図示しないコンテンツのダウンロードの要求があった場合に、コンテンツサーバ１０からコンテンツのダウンロードが行われる（ステップ８１）。ここで、コンテンツと共に、ＢＵサーバアドレスも併せてコンテンツサーバ１０から、バックボーンネットワーク４０及び公衆無線網５０を介して送信される。このとき、コンテンツサーバ１０は、コンテンツと端末識別子とを、バックアップサーバ２０に送信する（ステップ８２）。コンテンツには、その再生対象となるコンテンツ本体の他にその再生制限情報も包含されている。バックアップサーバ２０は、送信されたコンテンツと端末識別子とを関連付けて記憶する。また、この時点で、コンテンツと端末識別子と状態情報（例えば、コンテンツの再生回数やコピー回数などであって、当初は０回である）とを関連付けて記憶することが好ましい。  
そして、通信端末３０における該コンテンツの状態が変化するたび（例えば、１回の再生ごと）に、通信端末３０は、状態情報と端末識別子とをバックボーンネットワーク４０及び公衆無線網５０を介してバックアップサーバ２０に送信する（ステップ８３）。バックアップサーバ２０は、送信された状態情報とコンテンツと端末識別子とを関連付けて記憶するか、又は、コンテンツと端末識別子とに関連付けられた状態情報を上書きすることにより、更新する。
【００３２】
バックアップされたコンテンツをリストアする際には、まず、通信端末３０からリストア要求が出される（ステップ８４）。このとき、通信端末３０は、バックアップサーバ２０に端末識別子を送信する。そこで、バックアップサーバ２０は、通信端末３０から送信された端末識別子を参照して、通信端末３０から要求されたコンテンツとＢＵアドレスと状態情報をバックボーンネットワーク４０及び公衆無線網５０を介して、通信端末３０に送信する（ステップ８５）。これにより、リストアが終了する。なお、図示をしていないが、ステップ８４を実行する前に、バックアップサーバ２０は通信端末３０から送信された端末識別子を参照して、バックアップサーバ２０に格納されている通信端末３０の端末識別子に対応したコンテンツのリスト（以下、コンテンツリストと称する）を送付する。通信端末３０はバックアップサーバ２０から受信したコンテンツリストの中からバックアップするコンテンツを選択してもよい。
【００３３】
第３の実施形態によれば、第１の実施形態と同様の効果が得られるほか、再生回数などの状態情報も適宜バックアップされるので、再生回数などが制限されたコンテンツについても、該コンテンツに対する状態管理が正常に行われることになる。  
なお、第３の実施形態において、状態管理が必要なコンテンツをバックアップして、通信可能圏外の場所で、通信端末３０で当該コンテンツを再生した場合には、通信可能圏内に入ったときに、まとめて情報をバックアップサーバ２０に送信するようにしても良い。更に、第３の実施形態では、利用状態が変わる毎にバックアップサーバ２０に状態情報を送信するようにしたが、リストア要求時に、状態情報をバックアップサーバ２０に送信するようにしても良い。
【００３４】
バックアップサーバ２０にバックアップされたコンテンツの削除について図５を参照して説明する。図５は、バックアップサーバ２０にバックアップされたコンテンツの削除の流れを示す図である。  
図５に示すように、通信端末３０は、削除しようとするコンテンツのコンテンツ識別子を送信して、バックアップサーバ２０に該コンテンツの削除要求を行う（ステップ９１）。これにより、バックアップサーバ２０は、端末識別子とコンテンツ識別子とが関連付けられて記憶されているのであれば、当該コンテンツを削除する。もし、該当するコンテンツが無いようであれば、バックアップサーバ２０による削除は行われない。これにより、指示と異なるコンテンツが削除されることが無くなる。
【００３５】
本発明は、上記各実施の形態に限ることなく、その他、実施段階ではその要旨を逸脱しない範囲で種々の変形を実施し得ることが可能である。  
上記の実施形態では、通信端末を携帯型の通信端末として説明したが、必ずしも携帯型でなくても構わない。また、コンテンツについても、全てのコンテンツが保護されていなくても構わない。また、第１及び第２の実施形態では、コンテンツ識別子をバックアップしない方式を説明したが、コンテンツ識別子も、コンテンツ及び端末識別子と関連付けて記憶することが好ましい。  
さらに、上記各実施形態には、種々の段階の発明が含まれており、開示される複数の構成要件における適宜な組合せにより種々の発明が抽出され得る。
【００３６】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３７】
【図１】本発明の第１の実施形態に係るコンテンツ管理システムの概略構成を示すブロック図である。
【図２】本発明の第１の実施形態に係る保護されたコンテンツのバックアップ方式を示す図である。
【図３】本発明の第２の実施形態に係る保護されたコンテンツのバックアップ方式を示す図である。
【図４】本発明の第３の実施形態に係る保護されたコンテンツのバックアップ方式を示す図である。
【図５】バックアップサーバ２０にバックアップされたコンテンツの削除の流れを示す図である。
【符号の説明】
【００３８】
１０…コンテンツサーバ
１１…ＣＰＵ
１２…ＲＯＭ
１３…ＲＡＭ
１４…通信インターフェイス
１５…ハードディスク
１６…システムバス
２０…バックアップサーバ
２１…ＣＰＵ
２２…ＲＯＭ
２３…ＲＡＭ
２４…通信インターフェイス
２５…ハードディスク
２６…システムバス
３０…通信端末
３１…アンテナ
３２…無線部
３３…ベースバンド処理部
３４…音声入出力部
３５…制御部
３６…表示部
３７…操作部
３８…記憶部
４０…バックボーンネットワーク
５０…公衆無線網
【図１】
2007219648.tif 000003
【図２】
2007219648.tif 000004
【図３】
2007219648.tif 000005
【図４】
2007219648.tif 000006
【図５】
2007219648.tif 000007